(57)【要約】【課題】包装容器への油の染み込みを防止する機能を備えた緩衝材シートを提供すること。【解決手段】両面に凹凸を有している紙１と、前記紙の一方の面に接着された第１のプラスチックフィルム２と、前記紙の他方の面に接着された第２のプラスチックフィルム３を含み、前記第１のプラスチックフィルム２および第２のプラスチックフィルム３のうちの少なくとも一方が、耐油性のプラスチックフィルムである緩衝材シート10。【選択図】図１
2017001680.tif 000002
【特許請求の範囲】
【請求項１】
両面に凹凸を有している紙と、
前記紙の一方の面に接着された第１のプラスチックフィルムと、
前記紙の他方の面に接着された第２のプラスチックフィルムを含み、前記第１のプラスチックフィルムおよび第２のプラスチックフィルムのうちの少なくとも一方が、耐油性のプラスチックフィルムである緩衝材シート。
【請求項２】
前記耐油性のプラスチックフィルムが、前記紙の対応する面の凹凸の凸部に水性接着剤で接着されている、請求項１記載の緩衝材シート。
【請求項３】
前記耐油性のプラスチックフィルムがポリプロピレンからなるものである、請求項１または２記載の緩衝材シート。
【発明の詳細な説明】
【技術分野】
【０００１】
本発明は、内容物から包装容器への油の染み込みを防止する機能を備えた緩衝材シートに関する。
【背景技術】
【０００２】
従来の緩衝材シートの例として、特許文献１は、平坦なベース紙にエンボス紙を接着剤で貼り合わせて構成された緩衝紙を開示している。接着剤は、ベース紙の一方の表面に筋状に塗布され、そこにエンボス紙が、エンボスの凸部の一部を接着剤に接触させる形で貼り合わされる。特許文献１は、ベース紙として、クラフト紙以外に、不織布や合成繊維、綿等で形成された布、フィルム等を記載している（段落００２８）。
【０００３】
また、特許文献２は、クレープ紙を複数積層したもの、または表面にエンボス加工を施した緩衝材の少なくとも片面にシート状物を接着剤で貼り合わせて構成された製袋品を開示している。特許文献２は、シート状物の形態として、紙、布、フィルム、不織布等を記載し、材質として、セルロースが好ましいことを記載している（段落００１２）。
【先行技術文献】
【特許文献】
【０００４】
【特許文献１】特開２００５−１６９７７４号公報
【特許文献２】登録実用新案第３１５２３１９号公報
【発明の概要】
【発明が解決しようとする課題】
【０００５】
しかしながら、チョコレート、クッキー、ビスケットなどの脂肪分を含有している菓子類、およびファンデーションのような油分を含有している固形化粧品類等の包装容器の用途において、従来の緩衝材シートは、不都合な点が多い。
第１に、特許文献１または２に記載されているような紙や布からなる従来の緩衝材シートは、油分を吸いこむ性質があるので、油分を含む物品に直接接触する場所に配置することができない。
第２に、特許文献１または２に記載されているような紙や布からなる従来の緩衝材シートは、印刷の鮮明性などの点で充分ではない。
【０００６】
本発明は、脂肪分を含有している菓子類、油分を含有している固形化粧品類等の包装容器の用途に使用できる緩衝材シートを提供することを課題とするものである。
【課題を解決するための手段】
【０００７】
本発明は、両面に凹凸を有している紙と、
前記紙の一方の面に接着された第１のプラスチックフィルムと、
前記紙の他方の面に接着された第２のプラスチックフィルムを含み、前記第１のプラスチックフィルムおよび第２のプラスチックフィルムのうちの少なくとも一方が、耐油性のプラスチックフィルムである緩衝材シートを提供する。
【発明の効果】
【０００８】
本発明の緩衝材シートは、耐油性のプラスチックフィルムを備えていることにより、油分を含有している物品に直接接触する場所に配置することができる。
【図面の簡単な説明】
【０００９】
【図１】本発明の一実施形態による緩衝材シート１０の部分断面図である。
【図２】本発明の一実施形態による緩衝材シート１０の分解斜視図である。
【発明を実施するための形態】
【００１０】
緩衝材シート１０は、両面に凹凸を有している紙（基材紙）１と、両面に接着された第１のプラスチックフィルム２（以下「第１フィルム２」と略す）と第２のプラスチックフィルム３（以下「第２フィルム３」と略す）を有している。
【００１１】
基材紙１は、凸部１ａと、凸部１ａに対応する反対面側の凹部１ｂからなる凹凸が両面に多数形成されているものである。
凹凸部を有している基材紙１は、例えば、エンボス加工により凹凸が形成されたものである。
基材紙１となる紙は、凹凸が形成できるものであればよく、例えば純白紙を使用することができる。
基材紙１に形成された凹凸の数は、２００〜５００個／１０ｃｍ2の範囲が好ましく、３２０〜４２０個／１０ｃｍ2の範囲より好ましいが、前記範囲に制限されるものではない。
【００１２】
第１フィルム２は、エンボス紙１の一方の面の凸部１ａに水性接着剤４で接着されている。
第２フィルム３は、エンボス紙１の他方の面の凸部１ａに水性接着剤４で接着されている。
緩衝材シート１０の厚み（両面の凸部１ａ間の厚み）は、１〜５ｍｍの範囲内であることが好ましい。
【００１３】
第１フィルム２と第のフィルム３は、一方または両方が耐油性のプラスチックフィルムからなるものである。
耐油性のプラスチックフィルムとしては、ポリプロピレンフィルムが好ましく、延伸ポリプロピレンフィルムがより好ましい。
耐油性のプラスチックフィルムではないプラスチックフィルムを使用するときは、ポリエチレンフィルム、ポリアミドフィルムなどを使用することができる。
【００１４】
第１フィルム２と第２フィルム３の一方を耐油性のないプラスチックフィルムにしたときは、耐油性のプラスチックフィルムと区別できるようにするため、色、模様、文字などを異ならせることができる。
このとき、耐油性のプラスチックフィルムではないフィルムをポリエチレンフィルムなどのプラスチックフィルムを使用すると、印刷性が良くなるので好ましい。
【００１５】
水性接着剤４は、水溶性タイプの接着剤と、水を含むエマルションタイ（水性エマルションタイプ）の接着剤を含むものであり、公知のものを使用することができる。
水性接着剤としては、ボンドＳＰ２８５０Ｎ（酢酸アクリル系、コニシ株式会社）、ボンドＳＰ２２０Ｎ（酢酸ビニルアクリル系、コニシ株式会社）、ライフボンドＶＰ−１１（アクリル系、日栄化工株式会社）、ライフボンドＶＰ−３８（アクリル共重合樹脂水性エマルション、日栄化工株式会社）を挙げることができる。
これらの中でも、残留モノマーに起因する異臭が小さく、大きな緩衝材シート１０を小さなものに切断するとき、第１フィルム２と第２フィルム３が付着し難くなるので、水性エマルションタイプのライフボンドＶＰ−３８が好ましい。
【００１６】
次に、本発明による緩衝材シート１０の製造方法について説明する。
原料紙（例えば、純白紙）の両面に周知のエンボス加工などで凹凸を形成して、多数の凹凸を有する基材紙１を得る。
【００１７】
次に基材紙１の両面の凹凸に水溶性接着剤を塗布する。塗布方法は、刷毛塗り法、転写ローラーを使用した塗布法、特開２００５−１６９７７４号公報に記載の緩衝紙製造装置１を使用した塗布方法などを適用することができる。
その後、基材紙１の水溶性接着剤が塗布された面に第１フィルム２と第２フィルム３を貼り付ける。
その後、必要に応じて用途に応じた大きさに切断する。
【００１８】
本発明の緩衝材シート１０は、第１フィルム２と第２フィルムの一方または両方が耐油性のプラスチックフィルムからなるものであるため、油（脂肪）を含む各種製品に対して直接接触させた状態で使用することができる。
例えば、紙箱の底に緩衝材シート１０を敷いて、その上にチョコレートなどを置き、さらにチョコレートなどと箱蓋の間に緩衝材シート１０を置くことで、箱底の内側と箱蓋の内側の両方に油（脂肪）が染み込むことがなくなる。
また、第１フィルム２と第２フィルムは両方ともプラスチックフィルムであり、表面が平滑であることから、紙と比べると印刷性が良く、鮮やかな印刷をすることで商品価値を高めることができるようになる。
【００１９】
本発明の緩衝材シート１０は、チョコレート、クッキー、ビスケットなどの脂肪分を含有している菓子類、ファンデーションのような油分（脂肪酸、油脂など）を含有している固形化粧品類などの包装容器の用途において使用することができるほか、ゼリー、サラダ油、肉類などの贈答品の包装容器の用途においても使用することができる。
【実施例】
【００２０】
実施例１
純白紙（坪量７０ｇ／ｍ2）に水蒸気を当てて柔らかくした後で両面にエンボス加工して、多数の凹凸のある基材紙１を得た（一面側の凸部１ａの数は約３７０個／１０ｃｍ2）。
次に、基材紙１の両面に水溶性接着剤（日栄化工株式会社製のライフボンドＶＰ−３８；水性エマルションタイプ）を刷毛で塗布した。
その後、水溶性接着剤を塗布した基材紙１の両面に延伸ポリプロピレンフィルム（厚み０．０２ｍｍ）（フタムラ化学株式会社のＦＯＲ＃２０）を貼り合わせた。
その後、１０ｃｍ×１０ｃｍの大きさに裁断して、凸部間の厚みが約２ｍｍの本発明の緩衝材シート１０を得た。
【００２１】
得られた緩衝材シート１０の１枚を紙箱の底に敷き、その上にチョコレートを載せた後で、さらにチョコレートの上に別の１枚の緩衝材シート１０を置き、蓋を閉めた。
その状態で約１分間、箱を上下に１０ｃｍの間隔で揺らし続けた後、蓋を開けて見たが、箱蓋の内側と箱底には、脂肪の染みは認められず、チョコレートにも破損は認められなかった。
【符号の説明】
【００２２】
１  紙
１ａ  凸部
１ｂ  凹部
２  第１フィルム
３  第２フィルム
４  接着剤
１０  緩衝材シート
【図１】
2017001680.tif 000003
【図２】
2017001680.tif 000004